(57)【要約】【課題】新たにアプリケーションやドライバの修正や再開発の必要がなく、容易に画像形成装置とその接続装置との正確な信号送信が可能となる画像形成装置への接続装置を提供する。【解決手段】ドライバ３でアプリケーション２からの印刷データをＰＤＬ（ページ記述言語）に変換し、プリンタ５にＰＤＬデータを送信する際、給紙装置指定番号を給紙装置番号互換テーブル４に送り、プリンタ５の給紙装置に互換性のある給紙装置指定番号に変換した後に、給紙装置指定コマンドに変換する。【選択図】図１
2004086460.tif 000002
【特許請求の範囲】
【請求項１】
設定情報および印刷データを作成するアプリケーションと、該アプリケーションで作成された設定情報および印刷データを画像形成装置に送信するドライバと、を備えた画像形成装置との接続装置において、
前記ドライバの送信先となる画像形成装置が前記アプリケーションで作成した設定情報に対応しない場合に、該設定情報を変換することを特徴とする画像形成装置との接続装置。
【請求項２】
前記アプリケーションで作成された設定情報を変換する互換テーブルを備え、前記ドライバの送信先となる画像形成装置が前記アプリケーションで作成した設定情報に対応しない場合に、前記互換テーブルを用いて設定情報を変換することを特徴とする請求項１記載の画像形成装置との接続装置。
【請求項３】
外部機器から設定情報および印刷データを受信する受信手段を備えた画像形成装置において、
受信手段にて受信した設定情報が自身の装置に対応する設定情報か否かを判定する判定手段と、対応していない場合に前記設定情報を変換する変換手段と、を備えたことを特徴とする画像形成装置。
【請求項４】
前記設定情報を変換する互換テーブルを備え、対応していない場合に前記互換テーブルを用いて設定情報を変換することを特徴とする請求項３記載の画像形成装置。
【発明の詳細な説明】
【０００１】
【発明の属する技術分野】
本発明は、プリンタ、コピー、ＦＡＸ等の画像形成装置、および画像形成装置との接続装置に関するものである。
【０００２】
【従来の技術】
従来の画像形成装置との接続装置であるパソコンには、画像形成装置への設定情報および印刷データを作成するアプリケーションと、このアプリケーションで作成された設定情報および印刷データを画像形成装置に送信するドライバとを備えている。
【０００３】
【発明が解決しようとする課題】
ところが、従来のパソコンでは、例えば設定情報として画像形成装置に搭載または接続される給紙部を指定する給紙装置番号が含まれているが、給紙装置番号は画像形成装置を製造するメーカによって、あるいは同メーカでも機種によって一定でない。例えば、給紙ユニットの搭載可能段数、画像形成装置に搭載される給紙カセットの数、あるいは画像形成装置に搭載可能なマルチサイズ対応の給紙トレイの有無によって給紙装置番号が大きく異なる。ここで、給紙装置とは、画像形成装置に搭載される給紙カセットや給紙トレイ、および装置本体に接続される給紙ユニットを意味する。
【０００４】
そのため、従来のパソコンでは、アプリケーションで作成した給紙装置番号と異なる給紙装置番号設定となる画像形成装置に置き替えて印刷を行う場合、誤った給紙装置が選択されたり、存在しない給紙装置が指定されて印刷出来なくなるという問題があった。
【０００５】
具体的には、図３に示すように、パソコン１１にアプリケーション１２、ドライバ１３を備え、プリンタ１４，１５に接続されている場合に、通常はアプリケーション１２でプリンタ１４用の印刷データおよび給紙装置指定番号を作成してドライバ１３に渡し、ドライバ１３が印刷データと給紙装置指定番号をプリンタ１４に送信する。ここで、プリンタ１４とプリンタ１５の給紙装置指定番号の設定が異なった状態で、印刷先をプリンタ１４からプリンタ１５に置き換えた場合は、ドライバ１３はそのまま給紙装置設定番号をプリンタ１５に送信してしまうために、希望しない給紙装置が指定されたり、給紙が出来ずにエラー表示するという問題があった。
【０００６】
【課題を解決するための手段】
本発明は、上記問題に鑑みてなされたものであり、設定情報および印刷データを作成するアプリケーションと、該アプリケーションで作成された設定情報および印刷データを画像形成装置に送信するドライバと、を備えた画像形成装置との接続装置において、前記ドライバの送信先となる画像形成装置が前記アプリケーションで作成した設定情報に対応しない場合に、該設定情報を変換する画像形成装置との接続装置としたものである。
【０００７】
あるいは、上述の処理を画像形成装置に搭載し、外部機器から設定情報および印刷データを受信する受信手段を備えた画像形成装置において、受信手段にて受信した設定情報が自身の装置に対応する設定情報か否かを判定する判定手段と、対応していない場合に前記設定情報を変換する変換手段と、を備えた画像形成装置としたものである。
【０００８】
【発明の実施の形態】
以下、本発明の実施例について、図面を用いて説明する。
図１は、画像形成装置であるプリンタ５とそのプリンタ５に接続される本発明の画像形成装置への接続装置であるパソコン１を示す図であり、パソコン１は、アプリケーション２、ドライバ３、給紙装置番号互換テーブル４を備えている。
【０００９】
アプリケーション２は、印刷データおよび設定情報である給紙装置指定番号を作成する。なお、本実施例では、設定情報として給紙装置指定番号の場合について説明するが、両面印字指定、ソート指定、右端設定等の画像形成装置の印字処理に関連する情報が設定情報の対象である。また、本実施例では、アプリケーション２がプリンタ６（不図示）用の給紙装置指定番号を作成し、その給紙装置指定番号とは異なる設定であるプリンタ５で印刷する場合について説明する。
【００１０】
ドライバ３は、アプリケーション２からの印刷データをＰＤＬ（ページ記述言語）に変換し、プリンタ５にＰＤＬデータを送信する。その際、ドライバ３は、アプリケーション２からの給紙装置指定番号を元に給紙装置指定コマンドに変換し同時にプリンタ５に送信する。本発明は、アプリケーション２からの給紙装置指定番号がプリンタ５に対応していないために、給紙装置指定コマンドに変換する前に給紙装置指定番号を給紙装置番号互換テーブル４に送り、プリンタ５の休止装置に互換性のある給紙装置指定番号に変換した後に、給紙装置指定コマンドに変換することを特徴とする。
【００１１】
なお、本実施例では、給紙装置番号互換テーブル４を備えた場合について説明したが、ドライバ３がプログラム等により給紙装置指定番号を変換できるようにしてもよい。この変換するためのプログラムは、パソコン１にプリンタ５を使用可能とするためにインストールするＣＤ−ＲＯＭに格納されたソフトウェア内に含めることにより実現することができる。さらに、アプリケーション２とドライバ３としての動作を行うためのソフトウェア、および給紙装置番号互換テーブル４についても同様に、プリンタに付属されたＣＤ−ＲＯＭに格納されたソフトウェアやデータをパソコン１にインストールすることにより、アプリケーション２、ドライバ３、および給紙装置番号互換テーブル４が形成されることになり、実際のアプリケーション２とドライバ３の構成物としてはパソコン１全体を制御するＣＰＵとなり、給紙装置番号互換テーブル４の構成物としてはＲＡＭ等のメモリとなる。
【００１２】
ここで、図１では、パソコン１側で給紙装置指定番号を変換する場合について説明したが、プリンタ５側で変換するようにすることも可能である。図２は、プリンタ５側で給紙装置指定番号を変換する場合を示す図であり、パソコン１は従来通りアプリケーション２とドライバ３を備え、プリンタ５に受信手段６、判定手段７、変換手段８、給紙装置番号互換テーブル９を備えている。
【００１３】
受信手段６でパソコン１から印刷データおよび給紙装置指定番号を受信し、判定手段７で受信した給紙装置指定番号がプリンタ５に対応するアプリケーション２で作成されたものか否かを判定し、対応している場合にはそのまま印刷処理に入り、対応していない場合には変換手段８が給紙装置番号互換テーブル９を参照してプリンタ５に対応する給紙装置指定番号に変換した後に印刷処理に入る。
【００１４】
なお、本実施例では、給紙装置番号互換テーブル９を備えた場合について説明したが、変換手段８がプログラム等により給紙装置指定番号を変換できるようにしてもよい。また、受信手段６は、通常のプリンタに形成されるＬＡＮポートやモデムであればよく、判定手段７と変換手段８としての動作を行うためのソフトウェア、および給紙装置番号互換テーブル９については、予めプリンタ５内に搭載したり、プリンタ５に付属されたＣＤ−ＲＯＭに格納されたソフトウェアやデータをパソコン１から受信手段６にて受信したり、外部機器からソフトウェアやデータをネットワークや電話回線を通じて受信手段６にて受信したりすることにより、判定手段７と変換手段８、および給紙装置番号互換テーブル９が形成されることになり、実際の判定手段７と変換手段８の構成物としてはプリンタ５全体を制御するＣＰＵ１０となり、給紙装置番号互換テーブル９の構成物としてはＲＡＭ等のメモリとなる。
【００１５】
【発明の効果】
以上説明したように、本発明の画像形成装置への接続装置および画像形成装置によれば、ドライバの送信先となる画像形成装置がアプリケーションで作成した設定情報に対応しない場合に、設定情報を変換する画像形成装置との接続装置、あるいは受信手段にて受信した設定情報が自身の装置に対応する設定情報か否かを判定する判定手段と、対応していない場合に設定情報を変換する変換手段とを備えた画像形成装置とすることにより、新たにアプリケーションやドライバの修正や再開発の必要がなく、容易に画像形成装置とその接続装置との正確な信号送信が可能となる画像形成装置への接続装置および画像形成装置を提供することができる。
【図面の簡単な説明】
【図１】本発明の画像形成装置への接続装置を示す図である。
【図２】本発明の画像形成装置を示す図である。
【図３】従来の画像形成装置への接続装置および画像形成装置を示す図である。
【符号の説明】
１，１１：パソコン
２，１２：アプリケーション
３，１３：ドライバ
４，９：給紙装置番号互換テーブル
５，１４，１５：プリンタ
６：受信手段
７：判定手段
８：変換手段
【図１】
2004086460.tif 000003
【図２】
2004086460.tif 000004
【図３】
2004086460.tif 000005